(57)【要約】【課題】記録再生信号と駆動信号との両方が供給される光ピックアップに漏洩ノイズを生じさせることがなく記録再生を行うことができる光ディスク記録再生装置を提供する。【解決手段】少なくとも、光ディスクからの情報の記録再生を行う光ピックアップ５と光ピックアップ５を光ディスクの半径方向に移動させるフィード機構部８とが設けられた機構部と、機構部に対向配置され、フィード機構部８に制御信号を出力する制御部品が設けられた回路基板４と、を有し、機構部と回路基板４との間に、光ディスクからの情報の記録再生を行う記録再生信号用の配線パターンを有する第１フレキシブルケーブル１７と、前記駆動部に制御信号を供給する配線パターンを有する第２フレキシブルケーブル１８と、を備えている。【選択図】図２
2007122788.tif 000002
【特許請求の範囲】
【請求項１】
少なくとも、光ディスクからの情報の記録再生を行う光ピックアップと前記光ピックアップを前記光ディスクの半径方向に移動させるフィード機構部とが設けられた機構部と、前記機構部に対向配置され、前記フィード機構部に制御信号を出力する制御部品が設けられた回路基板と、を有する光ディスク記録再生装置において、
前記機構部と前記回路基板との間に、前記光ディスクからの情報の記録再生を行う記録再生信号用の配線パターンを有する第１フレキシブルケーブルと、前記フィード機構部に制御信号を供給する配線パターンを有する第２フレキシブルケーブルと、を備えたことを特徴とする光ディスク記録再生装置。
【発明の詳細な説明】
【技術分野】
【０００１】
本発明は、対物レンズを駆動する対物レンズ駆動系から光ディスクの記録再生を行う再生信号系への漏洩ノイズを低減する光ディスク記録再生装置に関する。
【背景技術】
【０００２】
光ピックアップと駆動回路を有するベース基板とをフレキシブルケーブルにより接続した光ディスク記録再生装置が特許文献１に記載されている。
この特許文献１に記載されている光ディスク記録再生装置について、図４乃至図６を用いて説明する。
図４は、特許文献１に記載されている光ディスク記録再生装置を示す平面図である。
図５は、特許文献１に記載されている光ディスク記録再生装置の駆動部を示す斜視図である。
図６は、フレキシブルケーブルの構成を示す図である。
【０００３】
図４に示すように、上カバー（図示せず）と下カバー２０との間にターンテーブル２１を回転自在に支持するトレー２２が配置され、このトレー２２の中央に光ディスクをクランプするクランプ機構２３が形成されている。そして、ターンテーブル２１の周囲には、光ディスクの直径よりも大きい形状のディスク収納部２４が形成されている。ディスク収納部２４の下方には、光ピックアップ５が光ディスク半径方向に移動可能に取り付けられている。この光ピックアップ５は、ディスク収納部２４の凹部２４Ａに収納され、凹部２４Ａは、ピックアップカバー２５で覆われている。
【０００４】
更に、光ピックアップ機構２６は、光ピックアップ５を光ディスクの半径方向に移動させる一対のガイド軸７、７と、光ピックアップ５を駆動するステッピングモータ１２と、ステッピングモータ１２の回転駆動力を光ピックアップ５に伝達する伝達機構２７とから構成されている。光ピックアップ５の両側には、一対のガイド軸７、７に係合して光ピックアップ５の移動方向をガイドする軸受け部２８〜３０が設けられている。伝達機構２７は、ステッピングモータ１２の回転を減速するギヤ群３１と、ギヤ群３１を介して回転駆動されるリードスクリュー１１とからなる。更に、光ピックアップ５は、リードスクリュー１１の螺旋溝に係合する係合部３２を有する。
【０００５】
図５に示すように、ピックアップカバー２５の下方には、光ピックアップ５をディスク半径方向へ移動可能に支持するピックアップユニット３３が配置されている。ピックアップユニット３３は、ターンテーブル２１と、光ピックアップ５と、ガイドレールを平行に保持するサブベース３４と、光ピックアップ５に接続されたフレキシブルケーブル３５とを有する。
【０００６】
図６に示すように、フレキシブルケーブル３５は、幅広部３６と、幅広部３６の側方に延在する端部に設けられた端子３７と、幅広部３６より光ピックアップ５の移動方向に平行に延在する一対の延在部３８、３９と、一対の延在部３８、３９間に形成されたスリット４０と、一対の延在部３８、３９の先端に設けられ光ピックアップ５に電気的に接続される端子４１、４２とを有する。一対の延在部３８、３９に形成された配線パターンは、スリット４０を介して離間しているので、互いにノイズ漏洩の影響を受けないように設けられている。
【０００７】
例えば、一方の延在部３８には、記録再生信号系の配線パターンを形成し、他方の延在部３９には、駆動信号系の配線パターンを形成することによりノイズ漏洩を防止している。また、一方の延在部３８には、低周波信号が流れる配線パターンを形成し、他方の延在部３９には、高周波信号が流れる配線パターンを形成して、ノイズ漏洩の防止と共に相互干渉を防止することもできる。
【特許文献１】特開２００３−９１９４３号公報
【発明の開示】
【発明が解決しようとする課題】
【０００８】
ところで、光ピックアップ５は、記録再生を行うために用いられる半導体レーザ、光ディスクからの反射光を受光する光検出器（図示せず）、対物レンズを駆動する対物レンズ駆動機構（図示せず）を備えているので、これらの構成部にも記録再生信号と駆動信号との両方を供給する必要がある。このため、特許文献１に記載されている光ディスク記録再生装置のように、記録再生信号系と駆動信号系とに分けて配線パターンを形成することができない。このため、光ピックアップ５に漏洩ノイズが生じて記録再生信号の品質を損なわれるといった問題を生じていた。
【０００９】
フレキシブルケーブル３５を用いて、上記した構成部に信号を供給しようとした場合には、フレキシブルケーブル３５から出力される記録再生信号と駆動信号とを光ピックアップ５に供給する段階でより分ける必要があるため、光ピックアップ５とフレキシブルケーブル３５との間に複雑化したインターフェースが必要となり、更に部品点数を増やす結果を生じてしまう。
【００１０】
そこで、本発明は、前述の課題に鑑みて提案されるものであって、記録再生信号と駆動信号との両方が供給される光ピックアップに漏洩ノイズを生じず、記録再生信号の品質を損なうことがなく記録再生を行うことができる光ディスク記録再生装置を提供することを目的とする。
【課題を解決するための手段】
【００１１】
本発明は、少なくとも、光ディスクからの情報の記録再生を行う光ピックアップと前記光ピックアップを前記光ディスクの半径方向に移動させるフィード機構部とが設けられた機構部と、前記機構部に対向配置され、前記フィード機構部に制御信号を出力する制御部品が設けられた回路基板と、を有する光ディスク記録再生装置において、前記機構部と前記回路基板との間に、前記光ディスクからの情報の記録再生を行う記録再生信号用の配線パターンを有する第１フレキシブルケーブルと、前記フィード機構部に制御信号を供給する配線パターンを有する第２フレキシブルケーブルと、を備えたことを特徴とする光ディスク記録再生装置を提供する。
【発明の効果】
【００１２】
本発明によれば、機構部と回路基板との間に、光ディスクからの情報の記録再生を行う記録再生信号用の配線パターンを有する第１フレキシブルケーブルと、フィード機構部に制御信号を供給する配線パターンを有する第２フレキシブルケーブルと、を備えているので、漏洩ノイズを生じず、記録再生信号の品質を損なうことがなく記録再生を行うことができる。
【発明を実施するための最良の形態】
【００１３】
以下、本発明に係る光ディスク記録再生装置の実施の形態について、図面を参照して詳細に説明する。
図１は、本発明に係る光ディスク記録再生装置を示す斜視図である。図３は、フロントエンド基板を示す斜視図である。図３は、駆動部を示す斜視図である。
従来と同一構成には同一符号を付す。
【実施例】
【００１４】
本発明の実施例に係る光ディスク記録再生装置は、従来の光ディスク記録再生装置におけるフレキシブルケーブル３５を記録再生信号系用の第１フレキシブルケーブル１７と駆動信号系用の第２フレキシブルケーブル１８とからなるようにしたものであり、これ以外は同様である。
【００１５】
以下、具体的に説明する。
図１に示すように、光ディスク記録再生装置は、トラバースメカ部１とこのトラバースメカ部１に対向して配置されたフロントエンド基板４とから構成されている。トラバースメカ部１は、中央部に開口部を有するベース２と、このベース２の四隅に図示しないローディングメカに固定するインシュレータ３、３、３、３とから構成されている。
更に、図２に示すように、ベース２には、光ディスクの記録再生を行う光ピックアップ５と、スピンドルモータ６と、光ピックアップ５を光ディスクの半径方向に移動させる一対のガイド軸７、７と、フィード機構部８とが固定されている。光ピックアップ５とフィード機構部８とで機構部を構成している。
【００１６】
光ピックアップ５は、図示しないレーザ光を出射する半導体レーザと、このレーザ光を光ディスクに集光させる対物レンズ９と、この対物レンズ９をトラッキング方向とフォーカシング方向に駆動する対物レンズ駆動機構１０と、光ディスクからの反射光を受光する図示しない光検出器とを備えている。
【００１７】
フィード機構部８は、長手方向に螺旋状の溝が切られたリードスクリュー１１と、このリードスクリュー１１を回転させるステッピングモータ１２とを備えている（図１）。リードスクリュー１１と一対のガイド軸７、７との間には、リードスクリュー１１の回転を一対のガイド軸７、７に伝達する図示しない伝達部が設けられている。
【００１８】
図３に示すように、フロントエンド基板４上には、スピンドルモータ６、ステッピングモータ１２、フォーカス及びトラッキングアクチュエータを駆動するドライブ回路を１つのチップにユニット化したＩＣ１３と、３つのコネクタ１４、１５、１６とが固定されている。このＩＣ１３としては、ローム（株）が販売しているＢＤ７９０５ＢＦＳを用いることができる。ＩＣ１３は、各コネクタ１４、１５、１６からの距離が最小となるように配置することが望ましい。実際には、フロントエンド基板４上には、ＩＣ１３以外の電子部品が搭載される。
【００１９】
コネクタ１４には、光ピックアップ５に接続された第１フレキシブルケーブル１７が接続されている。コネクタ１５には、光ピックアップ５とステッピングモータ１２とに共通に接続された第２フレキシブルケーブル１８が接続されている。コネクタ１６には、スピンドルモータ６に接続された第３フレキシブルケーブル１９が接続されている（図１、２）。
【００２０】
第１フレキシブルケーブル１７には、光ディスクの記録再生信号用としての配線パターンが形成され、第２フレキシブルケーブル１８には、対物レンズ駆動機構１０、ステッピングモータ１２、トラッキングやフォーカスアクチュエータの駆動信号用としての配線パターンが形成されている。
以上のように、光ピックアップ５に第１フレキシブルケーブル１７を介して記録再生信号が供給され、第２フレキシブルケーブル１８を介して駆動信号が供給されるようにしているので、記録再生信号と駆動信号が干渉して記録再生信号の品質を損ねることがなく、光ディスクの記録再生を行うことができる。
【００２１】
なお、光ピックアップ５内に青色レーザを用いた光ピックアップに搭載される球面収差補正用のステッピングモータ、複数の対物レンズを持つ対物レンズ切り替え機構のアクチュエータ（圧電素子、ＤＣモータ、ステッピングモータ）の駆動信号を第２フレキシブルケーブル１８内に取り込み、１つのフレキシブルケーブルで行うことも可能である。
【図面の簡単な説明】
【００２２】
【図１】本発明に係る光ディスク記録再生装置を示す斜視図である。
【図２】フロントエンド基板を示す斜視図である。
【図３】駆動部を示す斜視図である。
【図４】特許文献１に記載されている光ディスク記録再生装置を示す平面図である。
【図５】特許文献１に記載されている光ディスク記録再生装置の駆動部を示す斜視図である。
【図６】フレキシブルケーブルの構成を示す図である。
【符号の説明】
【００２３】
１…トラバースメカ部、２…ベース、３…インシュレータ、４…フロントエンド基板（回路基板）、５…光ピックアップ、６…スピンドルモータ、７…ガイド軸、８…フィード機構部、９…対物レンズ、１０…対物レンズ駆動機構、１１…リードスクリュー、１２…ステッピングモータ、１３…ＩＣ、１４、１５、１６…コネクタ、１７…第１フレキシブルケーブル、１８…第２フレキシブルケーブル、１９…第３フレキシブルケーブル
【図１】
2007122788.tif 000003
【図２】
2007122788.tif 000004
【図３】
2007122788.tif 000005
【図４】
2007122788.tif 000006
【図５】
2007122788.tif 000007
【図６】
2007122788.tif 000008